【手続補正書】
【提出日】令和2年5月13日(2020.5.13)
【手続補正１】
【補正対象書類名】明細書
【補正対象項目名】発明の名称
【補正方法】変更
【補正の内容】
【発明の名称】圧縮機システム、圧縮機を有するチラーの容量制御の方法、及びチラー
【手続補正２】
【補正対象書類名】特許請求の範囲
【補正対象項目名】全文
【補正方法】変更
【補正の内容】
【特許請求の範囲】
【請求項１】
冷蔵回路用の圧縮機システムであって、
スクリュー圧縮機と、
制御器と
を含み、
前記スクリュー圧縮機は、完全に負荷をかけられた状態と完全に無負荷の状態との間での前記スクリュー圧縮機の容量の調節を容易にするために最大位置と最小位置との間で選択的に作動可能なスライド弁を含み、
前記制御器は前記スライド弁に通信可能に結合され、
前記制御器は、
前記冷蔵回路の冷媒と熱伝達連通状態にある流体のチルド流体温度設定値を受信することと、
前記流体のチルド流体温度を示す温度データを受信することと、
前記チルド流体温度と前記チルド流体温度設定値との差を決定することと、
前記チルド流体温度と前記チルド流体温度設定値との差に基づいて、前記スライド弁に負荷命令および無負荷命令の一方を与えることと、
前記負荷命令および前記無負荷命令の少なくとも一方が前記スライド弁に与えられるたびにタイマを始動することであって、前記負荷命令は前記タイマに前記スライド弁の最大位置に対応する負荷時間しきい値に向かってカウントさせ、前記無負荷命令は前記タイマに前記スライド弁の最小位置に対応する無負荷しきい値に向かってカウントさせることと、
前記負荷時間しきい値および前記無負荷時間しきい値に対する前記タイマに基づいて前記スライド弁の現在の位置を推定することと
を行い、
前記スライド弁の現在の位置は、少なくとも（ｉ）前記スクリュー圧縮機が完全に負荷をかけられた状態にあることに対応する前記スライド弁の最大位置、（ｉｉ）前記スクリュー圧縮機が完全に無負荷の状態にあることに対応する前記スライド弁の最小位置、および（ｉｉｉ）前記スクリュー圧縮機が完全に負荷をかけられた状態または完全に無負荷の状態のいずれにもないことを示す前記最大位置と前記最小位置との間にある前記スライド弁の中間位置として識別可能である、圧縮機システム。
【請求項２】
前記制御器はさらに、
前記チルド流体温度が前記チルド流体温度設定値よりも高いことに応答して前記スクリュー圧縮機の容量を増大させるべく前記スライド弁に前記負荷命令を与えることと、
前記チルド流体温度が前記チルド流体温度設定値まで低下するのに応答して前記負荷命令の付与を停止することと
を行う、請求項１の圧縮機システム。
【請求項３】
前記制御器はさらに、
前記チルド流体温度が前記チルド流体温度設定値未満であることに応答して前記スクリュー圧縮機の容量を低減するべく前記スライド弁に前記無負荷命令を与えることと、
前記チルド流体温度が前記チルド流体温度設定値まで上昇するのに応答して前記無負荷命令の付与を停止することと
を行う、請求項１の圧縮機システム。
【請求項４】
前記制御器は、前記スライド弁の位置に関して前記スクリュー圧縮機からのフィードバックを受けない、請求項１の圧縮機システム。
【請求項５】
前記制御器は、前記スクリュー圧縮機が完全に負荷をかけられた状態にあることを示す前記負荷時間しきい値に前記タイマが到達するのに応答して、前記負荷命令を所定の時間与え続けることと前記タイマを停止することとを行う、請求項１の圧縮機システム。
【請求項６】
前記制御器は、前記所定の時間後に前記負荷命令の付与を停止する、請求項５の圧縮機システム。
【請求項７】
前記制御器はさらに、前記スクリュー圧縮機が完全に無負荷状態にあることを示す前記無負荷時間しきい値に前記タイマが到達するのに応答して、前記無負荷命令の付与を停止することと前記タイマを停止することとを行う、請求項１の圧縮機システム。
【請求項８】
前記制御器は、前記スクリュー圧縮機が完全に無負荷状態であることに応答して前記スクリュー圧縮機をオフライン状態にする、請求項７の圧縮機システム。
【請求項９】
前記制御器は、
前記スクリュー圧縮機の入口に入る前記冷媒の吸入圧力を示す第１の圧力データを受信することと、
前記スクリュー圧縮機の出口から出る前記冷媒の吐出圧力を示す第２の圧力データを受信することと、
前記吸入圧力および前記吐出圧力に基づいて前記スクリュー圧縮機の負荷限界を決定することと
を行う、請求項１の圧縮機システム。
【請求項１０】
前記制御器は、前記スクリュー圧縮機の前記負荷限界内で前記負荷命令および前記無負荷命令の少なくとも１つを与える、請求項９の圧縮機システム。
【請求項１１】
圧縮機を有するチラーの容量制御の方法であって、
前記チラーの冷媒と熱伝達連通状態にある流体のチルド流体温度設定値を、処理回路によって受信することと、
前記流体のチルド流体温度を示す温度センサからの温度データを、前記処理回路によって受信することと、
前記チルド流体温度が前記チルド流体温度設定値よりも高いことに応答して、前記圧縮機の容量を増大させるべく前記圧縮機のスライド弁に負荷命令を、前記処理回路によって与えることと、
前記チルド流体温度が前記チルド流体温度設定値未満であることに応答して、前記圧縮機の容量を低減するべく前記スライド弁に無負荷命令を、前記処理回路によって与えることと、
前記負荷命令および前記無負荷命令の少なくとも一方が前記スライド弁に与えられるたびにタイマを、前記処理回路によって始動することであって、前記負荷命令は前記タイマに前記スライド弁の最大位置に対応する負荷時間しきい値に向かってカウントさせ、前記無負荷命令は前記タイマに前記スライド弁の最小位置に対応する無負荷しきい値に向かってカウントさせることと、
前記負荷時間しきい値および前記無負荷時間しきい値に対する前記タイマに基づいて前記スライド弁の現在の位置を、前記処理回路によって推定することと
を含み、
前記スライド弁の現在の位置は、少なくとも（ｉ）前記圧縮機が完全に負荷をかけられた状態にあることに対応する前記スライド弁の最大位置、（ｉｉ）前記圧縮機が完全に無負荷の状態にあることに対応する前記スライド弁の最小位置、および（ｉｉｉ）前記圧縮機が完全に負荷をかけられた状態または完全に無負荷の状態のいずれにもないことを示す前記最大位置と前記最小位置との間にある前記スライド弁の中間位置として識別可能であり、
前記処理回路は、前記スライド弁の位置に関する前記圧縮機からのフィードバックを受けない、方法。
【請求項１２】
前記タイマが負荷時間しきい値に到達するのに応答して所定の時間前記負荷命令を、前記処理回路によって与え続けることと、
前記タイマが前記負荷時間しきい値に到達するのに応答して前記タイマを、前記処理回路によって停止することと
をさらに含み、
前記負荷時間しきい値に到達する前記タイマは、前記圧縮機が完全に負荷をかけられた状態であることを示す、請求項１１の方法。
【請求項１３】
前記所定の時間後に前記負荷命令の付与を、前記処理回路によって停止することをさらに含む、請求項１２に記載の方法。
【請求項１４】
前記タイマが無負荷時間しきい値に到達するのに応答して前記無負荷命令の付与を、前記処理回路によって停止することと、
前記タイマが前記無負荷時間しきい値に到達するのに応答して前記タイマを、前記処理回路によって停止することと
をさらに含み、
前記無負荷時間しきい値に到達する前記タイマは、前記圧縮機が完全に無負荷状態であることを示す、請求項１１の方法。
【請求項１５】
前記圧縮機が完全に無負荷状態であることに応答して、前記処理回路によって、前記圧縮機をオフライン状態にすることをさらに含む、請求項１４の方法。
【請求項１６】
チラーであって、
前記チラーの全体に冷媒を与える圧縮機と、
前記圧縮機の下流に配置された凝縮器と、
前記凝縮器の下流に配置された膨張弁と、
前記膨張弁の下流かつ前記圧縮機の上流に配置された蒸発器と、
制御器と
を含み、
前記圧縮機は、前記圧縮機の容量の調節を容易にするべく選択的に作動可能なスライド弁を有し、
前記蒸発器は、前記冷媒を流体との熱交換関係にさらし、
前記制御器は、
前記冷媒と熱伝達連通状態にある前記流体の温度設定値を受信することと、
前記流体の温度を示す温度データを受信することと、
前記流体の温度が前記温度設定値よりも高いことに応答して前記圧縮機の容量を増大させるべく前記圧縮機の前記スライド弁に負荷命令を与えることと、
前記流体の温度が前記温度設定値未満であることに応答して前記圧縮機の容量を低減するべく前記スライド弁に無負荷命令を与えることと、
前記負荷命令および前記無負荷命令の少なくとも一方が前記スライド弁に与えられるたびにタイマを始動することであって、前記負荷命令は前記タイマに前記スライド弁の最大位置に対応する負荷時間しきい値に向かってカウントさせ、前記無負荷命令は前記タイマに前記スライド弁の最小位置に対応する無負荷しきい値に向かってカウントさせることと、
前記負荷時間しきい値および前記無負荷時間しきい値に対する前記タイマに基づいて前記スライド弁の現在の位置を推定することと
を行い、
前記スライド弁の現在の位置は、少なくとも（ｉ）前記圧縮機が完全に負荷をかけられた状態にあることに対応する前記スライド弁の最大位置、（ｉｉ）前記圧縮機が完全に無負荷の状態にあることに対応する前記スライド弁の最小位置、および（ｉｉｉ）前記圧縮機が完全に負荷をかけられた状態または完全に無負荷の状態のいずれにもないことを示す前記最大位置と前記最小位置との間にある前記スライド弁の中間位置として識別可能であり、
前記制御器は、前記スライド弁の位置に関する前記圧縮機からのフィードバックを受けない、チラー。